(57)【要約】【課題】異なる複数の周波数を用いて連続的に治療を行うことが可能な電気治療器を提供する。【解決手段】電気治療器１に、ｎ種類の出力周波数、１〜ｋ個（ｋはｎ以下の自然数）の出力周波数が数値の低い順に並べられている複数のコードデータ、及び、構成している出力周波数の種類の数が５０個を越えないように少なくとも一つのコードデータが並べられている複数のコースデータ、が記憶されている記憶部２と、コース番号が入力される入力操作部３と、治療用の電流が出力される出力部４と、入力操作部３から入力された番号と同じコース番号のコースデータを記憶部２から抽出し、並べられているコード番号の順に、一定時間の経過毎にコード番号におけるコードデータの出力周波数を順番に切換えて、出力部４から出力周波数の電流を出力させる制御部５と、を具備させる。【選択図】図２
2018082870.tif 000002
【特許請求の範囲】
【請求項１】
予め設定されているｎ種類の出力周波数、１〜ｋ個（ｋはｎ以下の自然数）の互いに重複しない前記出力周波数が数値の低い順に並べられていると共に該出力周波数の組合せ毎にコード番号として番号付けされている複数のコードデータ、及び、構成している前記出力周波数の種類の数が５０個を越えないように少なくとも一つの前記コード番号が並べられていると共に該コード番号の組合せ毎にコース番号として番号付けされている複数のコースデータ、が記憶されている記憶部と、
前記コース番号が入力される入力操作部と、
治療用の電流が出力される出力部と、
前記入力操作部から入力された番号と同じ前記コース番号の前記コースデータを、前記記憶部から抽出し、抽出された前記コースデータに基づいて、並べられている前記コード番号の順に、一定時間の経過毎に該コード番号における前記コードデータの前記出力周波数を順番に切換えて、前記出力部から前記出力周波数の電流を出力させる制御部と
を具備していることを特徴とする電気治療器。
【請求項２】
前記制御部は、
前記出力部から前記出力周波数の電流の出力を開始させる時に、電流値を０の値から徐々に出力値へ上昇させ、
前記出力部から前記出力周波数の電流の出力を停止させる時に、電流値を前記出力値から徐々に０の値へ下降させる
ものであることを特徴とする請求項１に記載の電気治療器。
【発明の詳細な説明】
【技術分野】
【０００１】
本発明は、特定の周波数の電流を出力する電気治療器に関するものである。
【背景技術】
【０００２】
人体に貼り付けられる一対の電極パッドに対して、所定の周波数の電流を出力する電気治療器が知られている。この種の電気治療器は、治療したい箇所に電極パッドを貼り付けた上で、治療内容に応じて、周波数、治療時間、及び電流の強弱、を設定して、動作させるようにしていた。
【０００３】
しかしながら、従来の電気治療器では、途中で周波数を変更したい時には、一旦動作を停止させた上で、変更したい周波数を選択して、再度、動作させる必要があり、手間がかかる問題があった。
【発明の概要】
【発明が解決しようとする課題】
【０００４】
そこで、本発明は、上記の実情に鑑み、異なる複数の周波数を用いて連続的に治療を行うことが可能な電気治療器の提供を課題とするものである。
【課題を解決するための手段】
【０００５】
上記の課題を解決するために、本発明に係る電気治療器は、「予め設定されているｎ種類の出力周波数、１〜ｋ個（ｋはｎ以下の自然数）の互いに重複しない前記出力周波数が数値の低い順に並べられていると共に該出力周波数の組合せ毎にコード番号として番号付けされている複数のコードデータ、及び、構成している前記出力周波数の種類の数が５０個を越えないように少なくとも一つの前記コード番号が並べられていると共に該コード番号の組合せ毎にコース番号として番号付けされている複数のコースデータ、が記憶されている記憶部と、前記コース番号が入力される入力操作部と、治療用の電流が出力される出力部と、前記入力操作部から入力された番号と同じ前記コース番号の前記コースデータを、前記記憶部から抽出し、抽出された前記コースデータに基づいて、並べられている前記コード番号の順に、一定時間の経過毎に該コード番号における前記コードデータの前記出力周波数を順番に切換えて、前記出力部から前記出力周波数の電流を出力させる制御部とを具備している」ことを特徴とする。
【０００６】
本構成によれば、複数の所望の出力周波数が含まれているコース番号を、入力操作部において入力すると、コース番号と同じ番号のコースデータを記憶部から抽出する。そして、抽出したコースデータを構成しているコード番号の順番で、更に、各コード番号のコードデータを構成している出力周波数の順番で、始めの出力周波数の出力が開始されてから一定時間が経過すると、次の出力周波数に自動的に切換わって出力されるため、従来のように出力周波数を切換える度に、動作を停止させて出力周波数を入力する必要はなく、容易に異なる複数の周波数を用いて連続的に治療を行うことができる。
【０００７】
また、コースデータを構成している各コード番号のコードデータにおいて、複数の出力周波数を数値の低い順に並べて、その順番で出力させるようにしている。これにより、始めに出力される周波数が低いことから治療者に与える刺激が少なく、不快感を覚えさせ難くいものとし、その後、高い周波数に切換えることで、徐々に刺激に慣れさせて、刺激が多くなっても不快感を覚えさせ難くすることができ、心地良く治療を続けさせることができる。
【０００８】
更に、コースデータにおいて、構成している出力周波数の種類の数を、５０個を越えないようにしているため、コースデータを実行させた時に、最後の出力周波数の出力が完了するまでの時間が、長くなり過ぎることを抑制させることができる。従って、治療時間が長くなり過ぎることで、治療者を疲れさせてしまって、本電気治療器による治療効果が低減してしまうことを抑制させることができる。
【０００９】
また、本発明に係る電気治療器は、上記の構成に加えて、「前記制御部は、前記出力部から前記出力周波数の電流の出力を開始させる時に、電流値を０の値から徐々に出力値へ上昇させ、前記出力部から前記出力周波数の電流の出力を停止させる時に、電流値を前記出力値から徐々に０の値へ下降させるものである」ことを特徴としても良い。
【００１０】
本構成によれば、出力周波数の出力を開始させる時には、電流値を０の値から徐々に上昇させ、出力を停止させる時には、電流値を０の値へ徐々に下降させるようにしているため、治療者に対して、いきなり強い刺激が作用することを防止して、穏やかに刺激を作用させることができると共に、いきなり刺激が停止することで痛みを感じさせてしまうことを低減させることができる。
【発明の効果】
【００１１】
以上のように、本発明の効果として、異なる複数の周波数を用いて連続的に治療を行うことが可能な電気治療器を提供することができる。
【図面の簡単な説明】
【００１２】
【図１】本発明の一実施形態である電気治療器の正面図である。
【図２】電気治療器の概略構成を示すブロック図である。
【図３】（ａ）はコードデータの構成を示す説明図であり、（ｂ）はコースデータの構成を示す説明図である。
【図４】治療用のモードの選択を説明するフローチャートである。
【図５】治療用のモードにおける動作を説明するフローチャートである。
【発明を実施するための形態】
【００１３】
本発明の一実施形態である電気治療器１について、図１乃至図５を参照して詳細に説明する。電気治療器１は、予め設定されているｎ種類の出力周波数、１〜ｋ個（ｋはｎ以下の自然数）の互いに重複しない出力周波数が数値の低い順に並べられていると共に出力周波数の組合せ毎にコード番号として番号付けされている複数のコードデータ、及び、構成している出力周波数の種類の数が５０個を越えないように少なくとも一つのコード番号が並べられていると共にコード番号の組合せ毎にコース番号として番号付けされている複数のコースデータ、が記憶されている記憶部２と、コース番号が入力される入力操作部３と、治療用の電流が出力される出力部４と、入力操作部３から入力された番号と同じコース番号のコースデータを、記憶部２から抽出し、抽出されたコースデータに基づいて、並べられているコード番号の順に、一定時間の経過毎にコード番号におけるコードデータの出力周波数を順番に切換えて、出力部４から出力周波数の電流を出力させる制御部５と、を備えている。
【００１４】
また、電気治療器１は、制御部５からのコマンドに応じた周波数の波形を発生させる発振部６と、リモコン７から信号を受信するリモコン受信部８と、コース番号、コード番号、出力レベル、出力時間、等を表示する表示部９と、入力操作部３の操作音、動作の開始・終了等の際に、音を発するスピーカ１０と、を備えている。
【００１５】
本実施形態において、出力周波数の種類の数「ｎ」は、２５〜２００である。ｎ種類の出力周波数は、１〜１００００Ｈｚの間の周波数の中から選択されている。
【００１６】
コードデータは、図３（ａ）に示すように、数値の低い順に並べられている１〜ｋ個の出力周波数（の数値）と、並べられている出力周波数の数と、時間とで、構成されている。コードデータにおいて並べられる出力周波数の種類の数「ｋ」は、１〜５０である。複数のコードデータは、並べられている出力周波数の組合せ毎にコード番号として番号付けされており、１〜ｍ（ここでは、ｍ＝３４４）個までが設定されている。コードデータ内の時間は、出力周波数の数×３分である。
【００１７】
コースデータは、構成している出力周波数の数の合計が５０個を越えないように、１〜８個のコード番号が並べられて構成されている（図３（ｂ）を参照）。つまり、一つのコースデータの実行時間が、１５０分を越えないようにしている。なお、コースデータの実行時間は、１２０分を越えないようにすることが望ましい。複数のコースデータは、コース番号として０１番〜１５番までが、予め設定されている。コース番号００は、コードデータの並びを任意に設定することができる。
【００１８】
入力操作部３は、クリアボタン３ａと、メモリーボタン３ｂと、「０」〜「９」、「＊」、及び「＃」の１２個のボタンからなるテンキー部３ｃと、出力設定ボタン３ｄと、開始／一時停止ボタン３ｅと、出力切換ボタン３ｆと、電源ボタン３ｇと、を備えている（図１を参照）。
【００１９】
出力部４は、第一電極パッド１１及び第二電極パッド１２が接続される二つのパッド用端子４ａと、プローブ１３が接続されるプローブ用端子４ｂと、握り導子１４（不関電極）が接続される握り導子用端子４ｃと、を備えている。
【００２０】
リモコン７は、開始／一時停止ボタンと、出力設定ボタンと、を備えている。
【００２１】
表示部９は、コース番号を表示するコース表示部９ａと、コード番号を表示するコード表示部９ｂと、出力設定を表示する出力表示部９ｃと、動作時間を表示する時間表示部９ｄと、出力レベルを表示する出力レベル表示部９ｅと、出力切換表示部９ｆと、を備えている（図１を参照）。コース表示部９ａは、２桁の７セグメントＬＥＤである。コード表示部９ｂ、時間表示部９ｄ、出力レベル表示部９ｅは、３桁の７セグメントＬＥＤである。出力表示部９ｃは、１５個のＬＥＤが右上りに列設されている。
【００２２】
電気治療器１は、記憶部２、出力部４、制御部５、発振部６、リモコン受信部８、スピーカ１０を、内部に収容している箱状の筐体２０を備えている。筐体２０の前面に、入力操作部３、パッド用端子４ａ、プローブ用端子４ｂ、握り導子用端子４ｃ、表示部９、が取付けられている。また、筐体２０の前面には、商用電源と接続するための電源端子２１が取付けられている。
【００２３】
筐体２０は、前面における入力操作部３等が取付けられている部位よりも下側に、後方へ窪んだ収容凹部２２を備えている。この収容凹部２２は、第一電極パッド１１、第二電極パッド１２、プローブ１３、握り導子１４、電源コード、等を収容するためのものである。
【００２４】
次に、本実施形態の電気治療器１の使用方法について動作と共に説明する。この電気治療器１は、動作モードとして、一つのコードデータ（コード番号）のみを実行する単独モード、任意に設定したコースデータ（コース番号、００）を実行するダイレクトモード、予め設定されているコースデータ（コース番号、０１〜１５）を実行するコースモード、の三つの治療用のモードと、ダイレクトモードやコースモードで実行されるコースデータを登録（設定）するためのコース登録モードと、を有している。
【００２５】
まず、コース登録モードについて、説明する。記憶部２には、ダイレクトモード用にコース番号「００」、コースモード用にコース番号「０１」〜「１５」までの、合計１６の記憶領域が設けられている。工場出荷時の状態では、コース番号「００」には、何も登録されておらず、コース番号「０１」〜「１５」には、互いに異なるコースデータが予め登録されている。通常の状態では、コース番号「００」にのみ、所望のコースデータを登録することができる。
【００２６】
コース番号「００」へのコースデータの登録は、電源端子２１に電源コードを接続して通電させた状態で、電源ボタン３ｇを操作して、電源をＯＮにした後に、メモリーボタン３ｂを２秒以上長押しすると、コード登録モードが実行される。コード登録モードが実行されると、コース番号「００」にコースデータが登録されていない状態で、コード表示部９ｂに「０００」が表示され、コースデータが登録されている場合では、先頭のコードデータのコード番号がコード表示部９ｂに表示される。
【００２７】
コード表示部９ｂにおいて、「０００」が点滅している状態で、テンキー部３ｃからコードデータのコード番号を入力すると、その入力した数字がコード表示部９ｂに表示される。この状態で、「＃」ボタンを押すと、そのコードデータが登録され、コード表示部９ｂの表示が、「０００」の点滅に切換わり、次のコードデータのコード番号の入力を促す。これを繰り返すことで、最大８個までのコードデータのコード番号を登録することができ、８個目の登録が完了すると、コースデータの登録が自動で完了する。８個未満の状態で、登録を完了させたい場合は、「＃」ボタンを２度押しする。
【００２８】
既に、コース番号「００」に登録されているコースデータを変更する場合は、出力設定ボタン３ｄの「△」「▽」を操作することで、順番に並んでいるコードデータのコード番号をコード表示部９ｂに表示させることができる。そして、特定のコード番号を削除したい時には、削除したいコード番号を表示させた状態で、クリアボタン３ａを押すことで、当該コード番号が削除され、それ以降のコード番号が繰り上がって、次のコード番号が表示される。特定のコード番号を変更したい時には、変更したいコード番号を表示させた状態で、クリアボタン３ａを２度押しすると、コード表示部９ｂでは「０００」の点滅表示となり、所望のコード番号をテンキー部３ｃから入力して「＃」ボタンを押すと、所望のコード番号に変更される。
【００２９】
コース番号登録モードにおいて、クリアボタン３ａを２秒以上長押しすると、コースデータ内の全てのコード番号が削除されて、通常の表示状態に戻る。このようにして、コース番号「００」にコースデータを登録することができる。
【００３０】
なお、コース番号「０１」〜「１５」については、通常の状態では、登録されているコースデータを変更することができないようにロックされている。以下の手順により、ロックを解除して、コース番号「０１」〜「１５」に登録されているコースデータを変更することができる。
【００３１】
まず、電源端子２１に電源コードを接続して商用電源を通電させ、電源ボタン３ｇをＯＦＦの状態で、メモリーボタン３ｂ、テンキー部３ｃの「１」、「２」、「３」、の順番に各ボタンを押した後に、電源ボタン３ｇを押して電源をＯＮにすると、コース表示部９ａでは「０１」が点滅表示される。これにより、ロックが解除された状態となり、コース番号「０１」〜「１５」のコースデータを変更することができるようになる。
【００３２】
ロックを解除してコース表示部９ａで「０１」が点滅表示されている状態で、クリアボタン３ａを押した後に、テンキー部３ｃにおいて、変更したいコース番号を入力すると、そのコース番号が点滅表示され、その後に、メモリーボタン３ｂを押すことで、変更したいコース番号が確定して、点滅表示が停止すると共に、コード表示部９ｂにおいて「０００」が点滅表示される。そして、コードデータの登録は、先に説明したコース番号「００」でのコースデータの登録と同じ手順で登録することができる。当該コース番号に対するコースデータの変更（登録）が完了すると、再びロックされる。
【００３３】
次に、本実施形態の電気治療器１を用いて治療を行う場合は、コースモード、単独モード、ダイレクトモードの何れかから、治療用のモードを選択する。治療用のモードは、メモリーボタン３ｂの操作の仕方によって、選択することができ、１度押しの場合はコースモード、２度押しの場合は単独モード、長押しの場合はダイレクトモード、となっている。
【００３４】
治療用のモードの選択は、図４に示すように、まず、電源ボタン３ｇを押して、電源をＯＮにすると、ステップＳ１０１においてメモリーボタン３ｂを操作したか否かが判断される。ステップＳ１０１では、メモリーボタン３ｂが操作されるまでループする。
【００３５】
このステップＳ１０１において、メモリーボタン３ｂが操作されたと判断されると、次のステップＳ１０２において、メモリーボタン３ｂの操作が、１度押しであるか否かが判断される。ステップＳ１０２において、メモリーボタン３ｂの操作が、１度押し（コースモード）である場合（ＹＥＳの場合）、ステップＳ１０３へ進み、表示部９のコース表示部９ａにおいて、「００」を点滅表示させて、コース番号の入力を促す。
【００３６】
そして、テンキー部３ｃにおいて所望のコース番号の数字のボタンを押した後に、「＃」ボタンを押すと、ステップＳ１０４において、入力されたコース番号が０１〜１５の何れかである場合には、コース番号が入力されたと判断して、次のステップＳ１０５へ進む。一方、入力されたコース番号が０１〜１５以外の場合は、コース番号が入力されていないと判断して、ステップＳ１０３へ戻って、再び、コース番号の入力を促す。
【００３７】
ステップＳ１０５では、入力されたコース番号と同じ番号のコースデータの中の、先頭のコード番号を、コード表示部９ｂに表示させると共に、コースデータの中の合計時間を、時間表示部９ｄに表示させる。これにより、治療用のモードとして、コースモードが選択されたこととなる。
【００３８】
一方、ステップＳ１０１において、メモリーボタン３ｂが操作されたと判断された後に、ステップＳ１０２において、１度押しではないと判断されると、ステップＳ１０７へと進み、メモリーボタン３ｂの操作が、２度押し（単独モード）であるか否かが判断される。このステップＳ１０７において、メモリーボタン３ｂが２度押しされたと判断された場合（ＹＥＳの場合）、次のステップＳ１０８へと進み、コード表示部９ｂにおいて、「０００」を点滅表示させて、コード番号の入力を促す。
【００３９】
そして、テンキー部３ｃにおいて、１〜３４４までの所望のコード番号の数字のボタンを押した後に、「＃」ボタンを押すと、ステップＳ１０９において、コード番号が入力されたと判断して、次のステップＳ１１０へ進む。一方、１〜３４４以外のコード番号が入力された場合は、コード番号が入力されていないと判断して、ステップＳ１０８へ戻って、再びコード番号の入力を促す。
【００４０】
ステップＳ１１０では、入力されたコード番号を、コード表示部９ｂに表示させると共に、コード番号と同じ番号のコードデータの時間を、時間表示部９ｄに表示させる。これにより、治療用のモードとして、単独モードが選択されたこととなる。
【００４１】
一方、ステップＳ１０７において、メモリーボタン３ｂの操作が、２度押しでないと判断された場合、ステップＳ１１１へと進み、メモリーボタン３ｂの操作が、長押し（ダイレクトモード）であるか否かが判断される。ステップＳ１１１において、メモリーボタン３ｂの操作が、長押しであると判断された場合は、次のステップＳ１１２へと進み、長押しでないと判断された場合は、ステップＳ１０１へ戻る。
【００４２】
ステップＳ１１２では、コース番号「００」に、コースデータが登録されているか否かが判断され、コースデータが登録されている場合は、次のステップＳ１１３へと進む。一方、コース番号「００」に、コースデータが登録されていない場合は、ステップＳ１１４へ進み、コース登録モードを実行して、コース番号「００」にコースデータを登録させて、ステップＳ１１３へ進む。
【００４３】
そして、ステップＳ１１３では、コース番号「００」に登録されているコースデータの中の、先頭のコード番号を、コード表示部９ｂに表示させると共に、コースデータの中の合計時間を、時間表示部９ｄに表示させる。これにより、治療用のモードとして、ダイレクトモードが選択されたこととなる。
【００４４】
次に、治療するための電極を選択する。第一電極パッド１１及び第二電極パッド１２を使用する場合は、それらをパッド用端子４ａに接続し、出力切換ボタン３ｆを操作して、出力切換表示部９ｆの左側のＬＥＤを点灯させる。そして、第一電極パッド１１及び第二電極パッド１２を、治療者の治療部位に対して所定の部位に貼り付けると共に、握り導子用端子４ｃに接続した握り導子１４を、治療者に握らせる。一方、プローブ１３を使用する場合は、プローブ用端子４ｂに接続し、出力切換ボタン３ｆを操作して、出力切換表示部９ｆの右側のＬＥＤを点灯させる。そして、プローブ１３を、治療者の治療部位に当接させると共に、握り導子用端子４ｃに接続した握り導子１４を、治療者に握らせる。
【００４５】
この状態で、開始／一時停止ボタン３ｅを押すことで、先に選択した治療用のモードが実行（開始）される。選択されたモードが開始されると、図５に示すように、ステップＳ２０１において、先に入力されたコース番号と同じ番号のコースデータが記憶部２から抽出される。続くステップＳ２０２では、抽出されたコースデータ内のコードデータの数ａを取得する。次のステップＳ２０３では、コース番号をコース表示部９ａに表示させると共に、コースデータ内の合計時間を時間表示部９ｄに表示させた上で、合計時間のカウントダウンを開始させる。次のステップＳ２０４では、変数ｉに、１の値をセットする（変数ｉをクリア）。
【００４６】
そして、次のステップＳ２０５では、コースデータ内におけるｉ番目（１番目）のコードデータ内の出力周波数の数ｂを取得する。そして、次のステップＳ２０６では、ｉ番目のコードデータのコード番号を、コード表示部９ｂに表示させる。次のステップＳ２０７では、変数ｊに、１の値をセットする（変数ｊをクリア）。その後、ステップＳ２０８において、ｉ番目（１番目）のコードデータ内のｊ番目（１番目）の出力周波数の電流の出力を開始する。
【００４７】
次のステップＳ２０９では、電流の出力開始から、一定時間（ここでは、３分）経過したか否かが判断され、一定時間が経過するまでループし、一定時間が経過すると、次のステップＳ２１０へ進んで、電流の出力を停止させる。次のステップＳ２１１では、ｊの値に１を加算し、次のステップＳ２１２において、ｊの値がｂの値を越えたか否かが判断される。
【００４８】
ステップＳ２１２において、ｊの値がｂの値を越えていないと判断された場合（ＮＯの場合）、ステップＳ２０８に戻って、ｉ番目（１番目）のコードデータ内のｊ番目（２番目）の出力周波数の出力を開始させ、一定時間の経過後（ステップＳ２０９）に出力を停止（ステップＳ２１０）させて、ｊの値に１を加算（ステップＳ２１１）し、ｊの値がｂの値を越えたか否かを判断（ステップＳ２１２）する。
【００４９】
これにより、ｊの値がｂの値を越えるまで、ステップＳ２０８〜ステップＳ２１２が繰り返される。つまり、ｉ番目（１番目）のコードデータ内に含まれているｂ個の出力周波数が、順番に出力される。そして、ステップＳ２１２において、ｊの値がｂの値を越えた（ｂ個の出力周波数が全て出力された）と判断されると、次のステップＳ２１３へと進み、ｉの値に１を加算し、次のステップＳ２１４において、ｉの値がａの値を越えたか否かが判断される。
【００５０】
ステップＳ２１４において、ｉの値がａの値を越えていないと判断された場合（ＮＯの場合）、ステップＳ２０５に戻って、コースデータ内におけるｉ番目（２番目）のコードデータ内の出力周波数の数ｂを取得する。この際に、ｂの値は、先に取得された値に対して上書きされる。そして、次のステップＳ２０６において、ｉ番目（２番目）のコードデータのコード番号を、コード表示部９ｂに表示させ、ｊの値をクリア（ステップＳ２０７）した上で、ｉ番目（２番目）のコードデータ内のｊ番目（１番目）の出力周波数の出力を開始（ステップＳ２０８）させる。
【００５１】
その後、上記と同様に、ｊの値がｂの値を越えるまで、ステップＳ２０８〜ステップＳ２１２を繰り返し、ｊの値がｂの値を超える（ステップＳ２１２）と、ｉの値に１を加算（ステップＳ２１４）して、ｉの値がａの値を越えたか否かを判断（ステップＳ２１４）する。これにより、ｉの値がａの値を越えるまで、ステップＳ２０５〜ステップＳ２１４が繰り返される。つまり、コースデータ内のａ個のコードデータが、順番に実行される。
【００５２】
そして、ステップＳ２１４において、ｉの値がａの値を越えた（コースデータ内の全てのコードデータの実行が終了した）と判断されると、スピーカ１０から「ピー」と言う停止音を出力して、コースデータの実行が終了する。
【００５３】
この電気治療器１は、上記の治療用のモードを実行させて、コード表示部９ｂにコード番号が表示されている状態で、出力設定ボタン３ｄを操作することで、出力レベルを変更することができる。出力レベルは、制御部５内では、１５０段階に分けられており、出力レベルが１０段階変化する毎に、出力表示部９ｃのＬＥＤが一つ点灯又は消灯する。
【００５４】
電気治療器１は、治療用のモードの実行により、コードデータに基づいた出力周波数の電流が出力されている時に、開始／一時停止ボタン３ｅを押すと、電流の出力を一時的に停止させることができる。この状態では、時間表示部９ｄのカウントダウンが停止すると共に、出力レベル表示部９ｅの表示が「０００」となる。出力を停止させている状態で、開始／一時停止ボタン３ｅを押すと、電流の出力が再開されると共に、時間表示部９ｄのカウントダウンが再開される。上記のような出力レベルの変更や、出力の一時停止や再開は、リモコン７でも行うことができる。
【００５５】
また、電気治療器１は、制御部５において、出力周波数の出力を開始させる際に、電流値を０の値から設定されている出力値まで、５〜１５秒の時間をかけて徐々に上昇させる。また、出力周波数の出力を停止させる際には、電流値を出力値から０の値まで、５〜１５秒の時間をかけて徐々に下降させる。ここで、電流が出力される一定時間は、電流値が０の値から出力値まで上昇して、一定の値で出力された後に、下降して０の値に到達するまでの時間である。このような出力の制御は、治療用のモードの実行により、一定時間毎に出力周波数を切換える時の他に、開始／一時停止ボタン３ｅの操作により出力の一時停止や再開の時、動作中に電源ボタン３ｇをＯＦＦにされた時、にも行われる。
【００５６】
このように、本実施形態の電気治療器１によれば、複数の所望の出力周波数が含まれているコース番号を、入力操作部３において入力すると、コース番号と同じ番号のコースデータを記憶部２から抽出する。そして、抽出したコースデータを構成しているコード番号の順番で、更に、各コード番号のコードデータを構成している出力周波数の順番で、始めの出力周波数の出力が開始されてから一定時間が経過すると、次の出力周波数に自動的に切換わって出力されるため、従来のように出力周波数を切換える度に、動作を停止させて出力周波数を入力する必要はなく、容易に異なる複数の周波数を用いて連続的に治療を行うことができる。
【００５７】
また、コースデータを構成している各コード番号のコードデータにおいて、複数の出力周波数を数値の低い順に並べて、その順番で出力させるようにしている。これにより、始めに出力される周波数が低いことから治療者に与える刺激が少なく、不快感を覚えさせ難くいものとし、その後、高い周波数に切換えることで、徐々に刺激に慣れさせて、刺激が多くなっても不快感を覚えさせ難くすることができ、心地良く治療を続けさせることができる。
【００５８】
更に、コースデータにおいて、構成している出力周波数の種類の数を、５０個を越えないようにしているため、コースデータを実行させた時に、最後の出力周波数の出力が完了するまでの時間が、長くなり過ぎることを抑制させることができる。従って、治療時間が長くなり過ぎることで、治療者を疲れさせてしまって、本電気治療器による治療効果が低減してしまうことを抑制させることができる。
【００５９】
また、出力周波数の出力を開始する時には、電流値を０の値から徐々に上昇させ、出力を停止する時には、電流値を０の値へ徐々に下降させるようにしているため、治療者に対して、いきなり強い刺激が作用することを防止して、穏やかに刺激を作用させることができると共に、いきなり刺激が停止することで痛みを感じさせてしまうことを低減させることができる。
【００６０】
以上、本発明について好適な実施形態を挙げて説明したが、本発明は上記の実施形態に限定されるものではなく、本発明の要旨を逸脱しない範囲において、種々の改良及び設計の変更が可能である。
【００６１】
例えば、上記の実施形態では、コードデータの数（ｍ）が３４４個ものを示したが、これに限定するものではなく、コードデータの数を、１５０００個以下、又は、２００００個以下、としても良い。
【符号の説明】
【００６２】
１  電気治療器
２  記憶部
３  入力操作部
４  出力部
５  制御部
６  発振部
７  リモコン
８  リモコン受信部
９  表示部
１０  スピーカ
１１  第一電極パッド
１２  第二電極パッド
１３  プローブ
１４  握り導子
２０  筐体
【図１】
2018082870.tif 000003
【図２】
2018082870.tif 000004
【図３】
2018082870.tif 000005
【図４】
2018082870.tif 000006
【図５】
2018082870.tif 000007